(57)【要約】【課題】演奏操作器と本体装置の省電力化を図りシステム全体での電力消費を削減する。【解決手段】このシステムでは、演奏操作器ＰＭと電子楽器本体ＥＭが無線ＷＬで接続され、両者とも待機状態において省電力モードで動作する。演奏操作器ＰＭは、待機状態では（Ｓａｐ２）演奏操作部ＰＤの演奏操作に対するスキャンを低クロックで行い、演奏操作による解除信号Ｓｂｐを検出すると、待機状態を解除して通常モードで動作し、スキャンを高クロックで行い、無線通信部２７の電源３３をオンして演奏操作による演奏情報Ｓｄ１を電子楽器本体ＥＭへと送信する。電子楽器本体ＥＭは、待機状態では（Ｓａｅ２）無線通信部９の受信チェックを低頻度で行い、演奏操作器ＰＭからの無線信号を検出すると、待機状態を解除し通常モードで動作して受信チェックを高頻度で行い、音源部ＴＧの電源１５をオンして受信した演奏情報Ｓｄ３による楽音信号を音源部ＴＧに発生させる。【選択図】図２
2007086214.tif 000002
【特許請求の範囲】
【請求項１】
無線で接続される本体装置と共に電子楽器システムを構成する演奏操作器であって、
演奏操作子と、
省電力モード或いは通常モードで演奏操作子をスキャンし、通常モードにおいて演奏操作子の操作に基づく演奏情報を検出し、省電力モードでは演奏操作子が操作されたことだけを検出することができる操作検出手段と、
電力が供給されているときに、操作検出手段により検出される演奏情報を本体装置に送信する無線通信手段と、
省電力モードでスキャン中の操作検出手段により演奏操作子の操作が検出されたことに基づいて、操作検出手段を通常モードでスキャンさせると共に無線通信手段に電力を供給するように制御する制御手段と
を具備することを特徴とする演奏操作器。
【請求項２】
無線で接続される演奏操作器と共に電子楽器システムを構成する本体装置であって、
省電力モード或いは通常モードで動作し、通常モードにおいて演奏操作器からの演奏情報を受信し、省電力モードでは演奏操作器からの信号が受信されたことだけを検出することができる無線通信手段と、
電力が供給されているときに、無線通信手段により受信される演奏情報に基づいて楽音信号を生成する楽音信号生成手段と、
省電力モードで動作中の無線通信手段により演奏操作器からの信号の受信が検出されたことに基づいて、無線通信手段を通常モードで動作させると共に楽音信号生成手段に電力を供給するように制御する制御手段と
を具備することを特徴とする本体装置。
【請求項３】
演奏操作子を備える演奏操作器と該演奏操作器に無線で接続される本体装置とから成り、これら演奏操作器及び本体装置は演奏操作子の操作を待機している待機状態で所定の動作が可能な電子楽器システムであって、
演奏操作器は、
待機状態が解除された状態において演奏操作子の操作に基づく演奏情報を検出し、待機状態では演奏操作子が操作されたことだけを検出することができる操作検出手段と、
待機状態において操作検出手段により演奏操作子の操作が検出されたことに基づいて待機状態を解除する操作器制御手段と、
操作器制御手段による待機状態の解除に応じて、操作検出手段により検出される演奏情報を本体装置に送信する操作器無線通信手段と
を具備し、
本体装置は、
待機状態が解除された状態において演奏操作器からの演奏情報を受信し、待機状態では演奏操作器からの信号が受信されたことだけを検出することができる本体無線通信手段と、
待機状態において本体無線通信手段により演奏操作器からの信号の受信が検出されたことに基づいて待機状態を解除する本体制御手段と、
本体制御手段による待機状態の解除に応じて、本体無線通信手段で受信される演奏操作器からの演奏情報に基づいて楽音信号を生成する楽音信号生成手段と
を具備する
ことを特徴とする電子楽器システム。
【請求項４】
前記操作器制御手段は、前記操作検出手段に対して、待機状態では省電力モードで演奏操作子をスキャンし、待機状態が解除されると通常モードで演奏操作子をスキャンするように制御することを特徴とする請求項３に記載の電子楽器システム。
【請求項５】
前記本体制御手段は、前記本体無線通信手段に対して、待機状態では省電力モードで動作し、待機状態が解除されると通常モードで動作するように制御することを特徴とする請求項３又は４に記載の電子楽器システム。
【発明の詳細な説明】
【技術分野】
【０００１】
この発明は、演奏操作器及び本体装置から成り、電力消費の削減を図ることができる電子楽器システムに関する。
【背景技術】
【０００２】
従来より、消費電力を節約してバッテリによっても長時間演奏ができるようにした電子楽器が知られている。例えば、特許文献１には、電子管楽器からＭＩＤＩデータを、音源回路を備えた電子楽器に赤外線で無線送信するシステムにおいて、電子管楽器の消費電力を削減するため、マウスピースへの口の接触を検出し、接触中は演奏検出部へ電源を供給すると共にマイクロコンピュータを動作させ、離れると電源供給を停止すると共にマイクロコンピュータをスリープ状態にするよう制御している。
【特許文献１】特開平６−１３０９３９号公報
【０００３】
しかしながら、マウスピースへの口の接触を検出する検出回路は、口が接触しているか否かに関わらず同じように電源が供給されている。また、電子管楽器からのＭＩＤＩデータを受信して楽音を発生させる電子楽器側は一切省電力化がなされておらず、システム全体としての電力消費が大きい。さらに、電子楽器側は、電子管楽器の待機／動作状態とは一切関係がなく、電子管楽器が待機状態であっても電子楽器は動作状態のこともあり、逆に、電子管楽器側が動作状態であっても電子楽器は電源オフ状態のこともあり得る。このため、無駄に電力を消費したり、電子管楽器の待機／動作に合わせて電子楽器側の電源スイッチを操作しなければならない、という不都合がある。
【発明の開示】
【発明が解決しようとする課題】
【０００４】
この発明は、このような事情に鑑み、演奏操作器と本体装置とから成る電子楽器システムにおいて、演奏操作器の省電力化を図って電源にバッテリを使用した場合でも長時間演奏操作を行うことができるようにし、また、本体装置も省電力化を図ることができ、システム全体としての電力消費を削減することができるようにすることを目的とする。
【課題を解決するための手段】
【０００５】
この発明の第１の特徴に従うと、無線（ＷＬ）で接続される本体装置（ＥＭ）と共に電子楽器システムを構成する演奏操作器（ＰＭ）であって、演奏操作子（３０）と、省電力モード（Ｓａｐ２）或いは通常モードで演奏操作子（３０）をスキャンし（Ｐ８，Ｐ２）、通常モードにおいて演奏操作子（３０）の操作に基づく演奏情報（Ｓｄ１）を検出し（Ｐ５）、省電力モード（Ｓａｐ２）では演奏操作子（３０）が操作されたことだけを検出することができる操作検出手段（ＰＤ；２４）と、電力（３３）が供給されているときに（Ｐ３）、操作検出手段（ＰＤ）により検出される演奏情報（Ｓｄ１）を本体装置（ＥＭ）に送信する（Ｐ５）無線通信手段（２７）と、省電力モード（Ｓａｐ２）でスキャン中の操作検出手段（ＰＤ；Ｐ８）により演奏操作子（３０）の操作が検出されたこと（Ｓｂｐ；Ｐ１）に基づいて、操作検出手段（ＰＤ）を通常モードでスキャンさせる（Ｐ２）と共に無線通信手段（２７）に電力（３３）を供給する（Ｐ３）ように制御する制御手段（ＭＣｐ；Ｐ１〜Ｐ９）とを具備する演奏操作器（ＰＭ）〔請求項１〕が提供される。なお、括弧書きは、理解の便のために付記した実施例の対応する参照記号や用語等を表わす。
【０００６】
この発明の第２の特徴に従うと、無線（ＷＬ）で接続される演奏操作器（ＰＭ）と共に電子楽器システムを構成する本体装置（ＥＭ）であって、省電力モード（Ｓａｅ２）或いは通常モードで動作し（Ｅ７，Ｅ２）、通常モードにおいて演奏操作器（ＰＭ）からの演奏情報（Ｓｄ３）を受信し（Ｅ４）、省電力モード（Ｓａｅ２）では演奏操作器（ＰＭ）からの信号が受信されたことだけを検出することができる無線通信手段（９）と、電力（１５）が供給されているときに（Ｅ３）、無線通信手段（９）により受信される演奏情報（Ｓｄ４）に基づいて楽音信号を生成する（Ｅ４）楽音信号生成手段（ＴＧ；７，８）と、省電力モード（Ｓａｅ２）で動作中の無線通信手段（９；Ｅ７）により演奏操作器（ＰＭ）からの信号（Ｓｓ２）の受信が検出されたこと（Ｓｂｅ；Ｅ１）に基づいて、無線通信手段（９）を通常モードで動作させる（Ｅ２）と共に楽音信号生成手段（ＴＧ）に電力（１５）を供給する（Ｅ３）ように制御する制御手段（ＭＣｅ；Ｅ１〜Ｅ８）とを具備する本体装置（ＥＭ）〔請求項２〕が提供される。
【０００７】
この発明の第３の特徴に従うと、演奏操作子（３０）を備える演奏操作器（ＰＭ）と該演奏操作器（ＰＭ）に無線（ＷＬ）で接続される本体装置（ＥＭ）とから成り、これら演奏操作器（ＰＭ）及び本体装置（ＥＭ）は演奏操作子（３０）の操作を待機している待機状態で所定の動作が可能な電子楽器システムであって、演奏操作器（ＰＭ）は、待機状態が解除された状態において演奏操作子（３０）の操作に基づく演奏情報（Ｓｄ１）を検出し（Ｐ５）、待機状態（Ｓａｐ２）では演奏操作子（３０）が操作されたことだけを検出することができる操作検出手段（ＰＤ；２４）と、待機状態において操作検出手段（ＰＤ）により演奏操作子（３０）の操作が検出されたこと（Ｓｂｐ）に基づいて待機状態を解除する（Ｐ１〜Ｐ３）操作器制御手段（ＭＣｐ；Ｐ１〜Ｐ９）と、操作器制御手段（ＭＣｐ）による待機状態の解除（Ｐ１〜Ｐ３）に応じて、操作検出手段（ＰＤ）により検出される演奏情報（Ｓｄ１）を本体装置（ＥＭ）に送信する（Ｐ５）操作器無線通信手段（２７）とを具備し、本体装置（ＥＭ）は、待機状態が解除された状態において演奏操作器（ＰＭ）からの演奏情報（Ｓｄ３）を受信し（Ｅ４）、待機状態では演奏操作器（ＰＭ）からの信号が受信されたことだけを検出することができる本体無線通信手段（９）と、待機状態において本体無線通信手段（９）により演奏操作器（ＰＭ）からの信号（Ｓｓ２）の受信が検出されたこと（Ｓｂｅ）に基づいて待機状態を解除する（Ｅ１〜Ｅ３）本体制御手段（ＭＣｅ；Ｅ１〜Ｅ８）と、本体制御手段（ＭＣｅ）による待機状態の解除（Ｅ１〜Ｅ３）に応じて、本体無線通信手段（９）で受信される演奏操作器（ＰＭ）からの演奏情報（Ｓｄ３）に基づいて楽音信号を生成する（Ｅ４）楽音信号生成手段（ＴＧ；７，８）とを具備する電子楽器システム〔請求項３〕が提供される。
【０００８】
この発明による電子楽器システムにおいて、操作器制御手段（ＭＣｐ；Ｐ１〜Ｐ９）は、操作検出手段（ＰＤ；２４）に対して、待機状態では省電力モード（Ｓａｐ２）で演奏操作子（３０）をスキャンし（Ｐ８）、待機状態が解除されると（Ｐ１〜Ｐ３）通常モードで演奏操作子（３０）をスキャンする（Ｐ２）ように制御する〔請求項４〕ように構成することができ，さらに、本体制御手段（ＭＣｅ；Ｅ１〜Ｅ８）は、本体無線通信手段（９）に対して、待機状態では省電力モード（Ｓａｅ２）で動作し（Ｅ７）、待機状態が解除されると（Ｅ１〜Ｅ３）通常モードで動作する（Ｅ２）ように制御する〔請求項５〕ように構成することができる。
【発明の効果】
【０００９】
この発明の第１の特徴によると（請求項１）、無線（ＷＬ）で接続される演奏操作器（ＰＭ）と本体装置（ＥＭ）で構成される電子楽器システムにおいて、演奏操作器（ＰＭ）は、待機状態において省電力モード（Ｓａｐ）で演奏操作子（３０）を比較的低速でスキャンしており（Ｐ８）、省電力モードのスキャンにより演奏操作子（３０）の操作が検出されると、待機状態を解除し（Ｐ１）、バッテリなどの電源（１５）から無線通信手段（２７）に電力を供給して無線通信手段（２７）を動作させる（Ｐ３）と共に、演奏操作子（３０）のスキャンを通常モードで高速に行い（Ｐ２）、通常モードのスキャンにより検出された演奏操作子（３０）の演奏操作内容に対応する演奏情報（Ｓｄ３）を無線通信手段（２７）から本体装置（ＥＭ）へと送信する（Ｐ５）ように構成されている。
【００１０】
従って、この発明によれば、演奏操作器は、待機状態において省電力モードで動作することにより、その消費電力を下げることができ、動作状態においては通常モードで動作して演奏操作子の操作を確実に検出することができる。また、音源部やサウンドシステムを内蔵しないので、消費電力を下げることができる。
【００１１】
この発明の第２の特徴によると（請求項２）、無線（ＷＬ）で接続される演奏操作器（ＰＭ）と本体装置（ＥＭ）で構成される電子楽器システムにおいて、本体装置（ＥＭ）は、待機状態において省電力モード（Ｓａｅ）で無線通信手段（９）を低速で動作させており（Ｅ７）、無線通信手段（９）により演奏操作器（ＰＭ）からの無線信号を受信すると、待機状態を解除して無線通信手段（９）を通常モードで高速に動作させる（Ｅ２）と共に、楽音信号生成手段（ＴＧ；７，８）に電力を供給して（Ｅ３）通常モードで受信した操作情報（Ｓｄ４）に基づく楽音信号を発生させる（Ｅ４）ように構成されている。
【００１２】
従って、この発明によれば、本体装置は、待機状態において省電力モードで動作することにより、その消費電力を下げることができ、動作状態においては通常モードで動作して演奏操作器からの無線信号を確実に受信することができる。また、演奏操作器が動作していない待機状態では、本体装置も待機状態とすることができるので、本体装置における電源スイッチ操作をなくすことができる。
【００１３】
この発明の第３の特徴によると（請求項３）、無線（ＷＬ）で接続される演奏操作器（ＰＭ）と本体装置（ＥＭ）で構成される電子楽器システムにおいて、演奏操作器（ＰＭ）は、演奏操作子（３０）が操作されていない待機状態では、例えば、演奏操作子（３０）の操作を検出することができる程度の低速スキャンを行っており（Ｐ８）、待機状態のスキャンにより演奏操作子（３０）の操作を検出すると、待機状態を解除し（Ｐ１）、演奏操作子（３０）の演奏操作に基づく演奏情報（Ｓｄ３）を操作器無線通信手段（２７）から本体装置（ＥＭ）へと送信する（Ｐ５）。また、本体装置（ＥＭ）は、待機状態では、本体無線通信手段（９）への電力供給をオンにして演奏操作器（ＰＭ）からの無線信号を待機しており（Ｅ７）、演奏操作器（ＰＭ）からの無線信号を検出すると、待機状態を解除し（Ｅ１）、楽音信号生成手段（ＴＧ；７，８）に対して演奏操作器（ＰＭ）からの演奏情報（Ｓｄ３）に基づく楽音信号を発生させる（Ｅ４）ように構成されている。
【００１４】
従って、この発明によれば、演奏操作器及び本体装置から成る電子楽器システム全体の消費電力を下げることができると共に、本体装置における電源スイッチ操作をなくすことができる。また、演奏操作器については、音源部やサウンドシステムを内蔵しないので、消費電力を下げることができる。
【００１５】
この発明による電子楽器システムにおいて、演奏操作器（ＰＭ）は、待機状態では演奏操作子（３０）を省電力モード（Ｓａｐ）でスキャンし（Ｐ８）、待機状態が解除される（Ｐ１）と、通常モードで演奏操作子（３０）をスキャンする（Ｐ２）ように制御する（請求項４）。従って、この発明によれば、演奏操作器は、待機状態において省電力モードで動作することにより、その消費電力を下げることができ、動作状態においては通常モードで動作して演奏操作子の操作を確実に検出することができる。
【００１６】
この発明による電子楽器システムにおいて、さらに、本体装置（ＥＭ）は、待機状態では本体無線通信手段（２７）を省電力モード（Ｓａｅ）で動作させており（Ｅ７）、待機状態が解除されると（Ｅ１）、通常モードで無線通信手段（２７）を動作させる（Ｅ２）ように制御する（請求項５）。従って、この発明によれば、本体装置は，待機状態において省電力モードで動作することにより、その消費電力を下げることができ、動作状態においては通常モードで動作して演奏操作器からの無線信号を確実に受信することができる。
【発明を実施するための最良の形態】
【００１７】
〔電子楽器システムの概要〕
この発明の一実施例による電子楽器システムは、電子楽器本体と呼ばれる本体装置と、本体装置と無線で接続される演奏操作器とから構成される。図１は、この発明の一実施例による電子楽器システムのハードウエア構成例を示す。この電子楽器システムは、電子楽器本体ＥＭ及び演奏操作器ＰＭにより電子楽器として機能し、図１（１），（２）は、それぞれ、電子楽器本体ＥＭ及び演奏操作器ＰＭのハードウエア構成ブロック図を示す。
【００１８】
電子楽器本体ＥＭは、図１（１）に示されるように、中央処理装置（ＣＰＵ）１、ランダムアクセスメモリ（ＲＡＭ）２、読出専用メモリ（ＲＯＭ）３、外部記憶装置４、本体検出回路５、本体表示回路６、音源回路７、効果回路８、本体無線通信回路９などを備え、これらの要素１〜９は本体バス１０を介して互いに接続される。
【００１９】
ＣＰＵ１は、本体ＣＰＵと呼ばれ、本体制御プログラムに従い本体タイマ１１によるクロックを利用して電力供給制御やモード制御を含む種々の演奏情報処理を実行する。ＲＡＭ２は、本体ＲＡＭと呼ばれ、これらの処理に際して必要な各種データを一時記憶するためのワーク領域として用いられる。また、ＲＯＭ３は、本体ＲＯＭと呼ばれ、これらの処理を実行するために、各種制御プログラムや、プリセットされた演奏データ等が予め記憶される。本体ＣＰＵ１、本体ＲＡＭ２及び本体ＲＯＭ３を含むマイクロコンピュータ部ＭＣｅは、電子楽器本体ＥＭの各部に対して電力供給や動作モードを制御する制御手段として機能し、「本体マイコン部」と呼ばれる。
【００２０】
外部記憶装置４は、ハードディスク（ＨＤ）等の内蔵記憶媒体の外に、コンパクトディスク・リード・オンリィ・メモリ（ＣＤ−ＲＯＭ）、フレキシブルディスク（ＦＤ）、光磁気（ＭＯ）ディスク、ディジタル多目的ディスク（ＤＶＤ）、スマートメディア（登録商標）等の小型メモリカード、等々、種々の可搬性の外部記録媒体を含み、制御プログラムや設定データ、演奏データ等を任意の外部記憶装置４に記憶することができる。
【００２１】
本体検出回路５は、キースイッチやマウス等の本体設定操作子１２に接続され、設定操作子１２の設定操作内容を検出してこれに対応する設定データ（本体設定データ）を本体マイコン部ＭＣｅに導入する。本体表示回路６は、画面表示用ＬＣＤ等の本体ディスプレイ（表示器）１３や各種インジケータ（図示せず）の表示／点灯内容を本体マイコン部ＭＣｅからの指令に従って制御し、設定操作子１２の操作に対する表示援助を行う。
【００２２】
本体無線通信回路９は、演奏操作器ＰＭからの演奏情報を受信するために設けられ、音源回路７は、本体無線通信回路９で受信された演奏情報のノートデータに対応する楽音信号を生成する。効果回路８は、効果付与ＤＳＰを有し、同演奏情報の効果データに基づく効果を音源回路７からの楽音信号に付与する。つまり、両回路７，８は、演奏操作器ＰＭからの演奏情報に基づく楽音信号を生成する楽音信号生成手段ＴＧとして機能し、「音源部」と呼ばれる。なお、音源部ＴＧは、ソフトウエアで構成することができ、本体ＲＯＭ３や外部記憶装置４に記憶された演奏データに基づく楽音信号を生成することもできる。また、効果回路８に後置されたサウンドシステム１４は、Ｄ／Ａ変換部やアンプ、スピーカを備え、音源部ＴＧで生成される楽音信号に基づく楽音を発生する。
【００２３】
電子楽器本体ＥＭには電源回路１５が設けられる。電源回路１５は、例えば、商用電源から得られる安定化した直流電力を本体マイコン部ＭＣｅ及び本体無線通信回路９を含む本体各部に電力を供給して当該各部を動作可能にする。演奏操作器ＰＭが操作されていない待機状態では、本体ＣＰＵ１からの指令に従って電源回路１５から本体各部への電力供給が制御され、例えば、検出回路５、設定操作子１２、表示回路６、ディスプレイ１３、音源部ＴＧ、サウンドシステム１４などには、電源回路１５からの電力が供給されない。なお、この例では、電子楽器本体ＥＭには電源スイッチが設けられていない。
【００２４】
演奏操作器ＰＭは、ユーザの演奏操作による演奏情報を出力する独立した音楽装置であり、例えば、鍵盤型の演奏操作子を有するキーボード装置などで構成される。演奏操作器ＰＭは、図１（２）に示すように、ＣＰＵ２１、ＲＡＭ２２、ＲＯＭ２３、演奏操作検出回路２４、設定操作検出回路２５、操作器表示回路２６、操作器無線通信回路２７などを備え、これらの要素２１〜２７は操作器バス２８を介して互いに接続される。
【００２５】
ＣＰＵ２１は、操作器ＣＰＵと呼ばれ、演奏制御プログラムに従い操作器タイマ２９によるクロックを利用して電力供給制御やモード制御を含む演奏情報処理を実行する。ＲＡＭ２２は、操作器ＲＡＭと呼ばれ、演奏情報処理に際して必要な各種データを一時記憶するためのワーク領域として用いられる。また、ＲＯＭ２３は、操作器ＲＯＭと呼ばれ、演奏制御プログラムが予め記憶される。操作器ＣＰＵ２１、操作器ＲＡＭ２２及び操作器ＲＯＭ２３を含むマイクロコンピュータ部ＭＣｐは、演奏操作器ＰＭの各部に対して電力供給や動作モードを制御する制御手段として機能し、「操作器マイコン部」と呼ばれる。
【００２６】
演奏操作検出回路２４は、鍵盤などの主演奏操作子やホイールなどの補助演奏操作子を含む演奏操作子３０に接続され、演奏操作子３０の操作状態を所定速度のクロックでスキャンして操作内容を検出し、検出した内容に対応する演奏情報を操作器マイコン部ＭＣｐに導入する。つまり、演奏操作検出回路２４及び演奏操作子３０は、ユーザの演奏操作に基づく演奏情報を取り込む機能を有し、「演奏操作部ＰＤ」と呼ばれる。
【００２７】
設定操作検出回路２５は、スイッチ等の操作器設定操作子３１に接続され、通常モードにおいて、ユーザによる操作器設定操作子３１の操作内容を検出し操作器マイコン部ＭＣｐに導入する。設定操作子３１により、例えば、演奏操作部ＰＤや操作器無線通信回路２７の動作条件を設定したり、電子楽器本体ＥＭの音源部ＴＧに対して演奏操作器ＰＭからの演奏情報に基づく楽音信号の音色や音量などの（本体設定操作子１２に比べて）比較的簡単な設定を行うことができる。操作器表示回路２６は、ＬＣＤ等の操作器ディスプレイ（表示器）３２や各種インジケータ（図示せず）の表示／点灯内容を操作器マイコン部ＭＣｐからの指令に従って制御し、操作子３０，３１の操作に対する表示援助を行う。
【００２８】
操作器無線通信回路２７は、演奏操作部ＰＤから操作器マイコン部ＭＣｐに入力された演奏情報を電子楽器本体ＥＭの本体無線通信回路９へと送信する。なお、演奏操作器ＰＭと電子楽器本体ＥＭとの間の無線ＷＬによる通信方式には、この例では無線電波（ラジオ周波）が用いられるが、赤外線などの他の方式を採用することができる。
【００２９】
演奏操作器ＰＭにはバッテリ回路３３が独立した電源として設けられる。バッテリ回路３３は、バッテリから得られる安定化した直流電力を操作器マイコン部ＭＣｐ及び演奏操作部ＰＤを含む操作器各部に電力を供給して当該各部を動作可能にする。演奏操作部ＰＤが操作されていない待機状態では、操作器ＣＰＵ２１からの指令に従ってバッテリ回路３３から操作器各部への電力供給が制御され、例えば、設定検出回路２５、設定操作子３１、表示回路２６、ディスプレイ３２、無線通信回路２７などには、バッテリ回路３３からの電力が供給されない。なお、演奏操作器ＰＭにも電源スイッチが設けられていない。
【００３０】
〔システムの省電力化機能〕
この発明の一実施例による電子楽器システムでは、無線ＷＬで接続される演奏操作器ＰＭ及び電子楽器本体ＥＭの何れについても、非演奏時の待機状態における省電力化が図られ、演奏操作器ＰＭは、待機状態でキーオン等の演奏操作を検出すると省電力モードから通常動作モード（「通常モード」ともいう）に入り、電子楽器本体ＥＭは、演奏操作器ＰＭからの無線信号を検出すると省電力モードから通常動作モードに入る。図２は、この発明の一実施例による電子楽器システムの機能ブロック図を示し、図２（１）は電子楽器本体の機能ブロック図であり、図２（２）は演奏操作器の機能ブロック図である。
【００３１】
ここで、この発明の一実施例による電子楽器システムの特徴を図２を用いて簡単に説明しておく：このシステムでは、演奏操作器ＰＭと電子楽器本体ＥＭとが無線ＷＬで接続され、両者とも待機状態において省電力モードで動作する。演奏操作器ＰＭは、待機状態では（Ｓａｐ２）演奏操作部ＰＤの演奏操作に対するスキャンを低クロックで行い、演奏操作の開始に基づくスリープ解除信号Ｓｂｐを検出すると、待機状態を解除して通常モードで動作し、スキャンを高クロックで行い、無線通信部２７の電源３３をオンして演奏操作に基づく演奏情報Ｓｄ１を無線ＷＬで電子楽器本体ＥＭへと送信する。電子楽器本体ＥＭは、待機状態では（Ｓａｅ２）無線通信部９の受信チェックを低頻度で行い、演奏操作器ＰＭからの無線信号を検出すると、待機状態を解除して通常モードで動作し、受信チェックを高頻度で行い、音源部ＴＧの電源１５をオンして受信した演奏情報Ｓｄ３に基づく楽音信号を音源部ＴＧに発生させる。
【００３２】
以下より詳しく説明する。電子楽器本体ＥＭは、図２（１）に示されるように、機能的には、本体ＣＰＵ１、本体ＲＡＭ２及び本体ＲＯＭ３等により電子楽器本体ＥＭの制御手段として機能する本体マイコン部ＭＣｅ、本体無線通信回路９により演奏操作器ＰＭからの演奏情報を一方向に受信する無線通信手段として機能する本体無線通信部９、音源回路７及び効果回路８により、受信した演奏情報に基づく楽音信号を生成する楽音信号生成手段として機能する音源部ＴＧ、本体検出回路５及び本体設定操作子１２から成る本体設定部や本体表示回路６及び本体ディスプレイ１３等から成る本体表示部、サウンドシステム１４、外部記憶装置４などにより、演奏情報処理に付随する補助的乃至外的な手段として機能するその他の本体各部ＲＢｅ、並びに、電源回路１５により各機能部に選択的に電力を供給する電力供給手段として機能する本体電力供給部１５から構成される。
【００３３】
また、演奏操作器ＰＭは、図２（２）に示すように、機能的には、操作器ＣＰＵ２１、操作器ＲＡＭ２２及び操作器ＲＯＭ２３等により演奏操作器ＰＭの制御手段として機能する操作器マイコン部ＭＣｐ、演奏操作子３０及び操作検出部２４によりユーザの演奏操作を検出し演奏操作に基づく演奏情報を取り込む操作検出手段として機能する演奏操作部ＰＤ、操作器無線通信回路２７により演奏情報を電子楽器本体ＥＭに一方向に送信する無線通信手段として機能する操作器無線通信部２７、設定検出回路２５及び操作器設定操作子３１から成る設定操作部や操作器表示回路２６及び操作器ディスプレイ３２等から成る操作器表示部などにより演奏操作補助手段として機能するその他の操作器各部ＲＢｐ、並びに、バッテリ回路３３により各機能部に選択的に電力を供給する電力供給手段として機能する操作器電力供給部３３から構成される。
【００３４】
演奏操作器ＰＭは、例えば、鍵盤型の演奏操作子３０を演奏操作部ＰＤに備え、操作器電力供給部３３のバッテリにより駆動される。電力供給部３３は、縦方向実線で示すように、常時、操作器マイコン部ＭＣｐ及び演奏操作部ＰＤに電力を供給する。
【００３５】
演奏操作子３０の操作がなされていない待機状態においては、操作器電力供給部３３は、操作器マイコン部ＭＣｐからの操作器省電力モード信号Ｓａｐ１に従って、縦方向破線で示すように、他の機能部２７，ＲＢｐには電力を供給しない。待機状態では、演奏操作部ＰＤも、マイコン部ＭＣｐからの操作器省電力モード信号Ｓａｐ２に従って省電力モードで動作し、通常モード時に比べて、例えば、キースキャン用クロックを低速としたり、スキャン頻度を低下する等、演奏操作子３０の操作を検出可能な程度に稼働密度が低下され、また、マイコン部ＭＣｐ自体も、各省電力モード信号の送信後スリープ状態となる。
【００３６】
演奏操作部ＰＤは、待機状態において、演奏操作子３０の操作を検出すると、検出された最初の操作に対応して操作器スリープ解除信号Ｓｂｐを発生し、これを操作器マイコン部ＭＣｐに供給する。マイコン部ＭＣｐは、これに応じて、スリープ状態を解除して動作状態に移行し、省電力モード信号Ｓａｐ１，Ｓａｐ２を無効とする信号を電力供給部３３及び演奏操作部ＰＤに送信する。これにより、演奏操作部ＰＤは、通常モードで動作して高クロックのキースキャン等を行い、演奏操作子３０の演奏操作に基づく演奏情報Ｓｄ１を有効に取り込むことができる。また、電力供給部３３は、他の機能部即ち操作器無線通信部２７及びその他の操作器各部ＲＢｐへの電力供給を開始する。
【００３７】
操作器マイコン部ＭＣｐは、また、スリープ解除信号Ｓｂｐの受信に対応して起動指示信号Ｓｓ１を発生すると共に、演奏操作部ＰＤから受信した演奏情報Ｓｄ１を所定形式の演奏情報Ｓｄ２に変換し、起動指示信号Ｓｓ１及び演奏情報Ｓｄ２を操作器無線通信部２７に出力する。これに対応して、無線通信部２７は、起動指示信号Ｓｓ１及び演奏情報Ｓｄ２を無線通信用信号Ｓｓ２，Ｓｄ３に変換して一方的に電子楽器本体ＥＭへと無線ＷＬで送信し、演奏操作子３０が演奏操作されている間、演奏情報Ｓｄ３の信号送信を持続する。なお、無線通信部２７は、単方向通信用であり、双方向通信に比べて、消費電力を下げることができ、電力供給部３３のバッテリの持ちを長くすることができる。
【００３８】
そして、一定時間以上、例えば、５〜１０分程度以上の間、演奏操作子３０の演奏操作がなくなると、操作器マイコン部ＭＣｐは、演奏操作が終了したものと判断して電力供給部３３及び演奏操作部ＰＤに省電力モード信号Ｓａｐ１，Ｓａｐ２に送って省電力モードとし、自身はスリープ状態に入って演奏操作部ＰＤ全体を待機状態に復帰する。
【００３９】
なお、演奏操作部ＰＤにおいて、設定操作部２５，３１や操作器表示部２６，３２などは、必ずしも必須の機能部ではなく、適宜省略してよい。省略した場合、設定操作を行うためのリモートコントロール装置を別途用意してもよく、その場合は、電子楽器本体ＥＭに、リモートコントロール装置からの信号を受信するための受信部を設ける。
【００４０】
これに対して、電子楽器本体ＥＭは、演奏操作器ＰＭからの演奏情報を受信して楽音信号を生成するために本体無線通信部９及び音源部ＴＧを備え、本体電力供給部１５の非バッテリ電源（ＡＣ電源利用）により駆動される。電力供給部１５は、縦方向実線で示すように、常時、本体マイコン部ＭＣｅ及び本体無線通信部９に電力を供給する。
【００４１】
電子楽器本体ＥＭの待機状態においては、本体電力供給部１５は、本体マイコン部ＭＣｅからの本体省電力モード信号Ｓａｅ１に従って、縦方向破線で示すように、他の機能部ＴＧ，ＲＢｅには電力を供給しない。待機状態では、さらに、本体無線通信部９は、マイコン部ＭＣｅからの本体省電力モード信号Ｓａｅ２に従って、省電力モードで動作し、通常モード時に比べて、例えば、信号チェックの頻度を下げる等、演奏操作部ＰＤからの無線信号の受信を検出可能な程度に稼働密度が低下され、また、マイコン部ＭＣｅ自体も、各省電力モード信号を送信した後、スリープ状態となる。
【００４２】
本体無線通信部９は、待機状態において、演奏操作器ＰＭからの無線ＷＬによる起動指示信号Ｓｓ２の受信を検出すると、起動指示信号Ｓｓ２の受信に対応して本体スリープ解除信号Ｓｂｅを発生し、これを本体マイコン部ＭＣｅに供給する。マイコン部ＭＣｅは、これに応じて、スリープ状態を解除して動作状態に移行し、省電力モード信号Ｓａｅ１，Ｓａｅ２を無効とする信号を電力供給部１５及び本体無線通信部９に送信する。これにより、本体無線通信部９は、高頻度の信号チェック等により演奏操作器ＰＭからの無線ＷＬによる演奏情報Ｓｄ３を有効に受信することができる。また、電力供給部１５は、他の機能部即ち音源部ＴＧ及びその他の本体各部ＲＢｅへの電力供給を開始する。
【００４３】
本体無線通信部９は、受信した演奏情報Ｓｄ３を演奏情報Ｓｄ４に復調（復号）して本体マイコン部ＭＣｅに送り、本体マイコン部ＭＣｅは、この演奏情報Ｓｄ４を音源部ＴＧに適した形式の演奏情報Ｓｄ５に変換して音源部ＴＧに出力する。音源部ＴＧは、マイコン部ＭＣｅからの演奏情報Ｓｄ５に基づく楽音信号を生成し、対応する楽音をサウンドシステム１４に発生させ、本体無線通信部９で演奏操作器ＰＭからの演奏情報Ｓｄ３が受信されている間、楽音信号の生成を持続する。そして、一定時間以上、演奏操作器ＰＭからの演奏情報Ｓｄ３の無線信号が途絶えると、マイコン部ＭＣｅは、演奏操作器ＰＭでの演奏操作が終了したものと判断して電子楽器本体ＥＭを待機状態に復帰する。
【００４４】
以上の構成により、電子楽器本体ＥＭの電源スイッチを省略することができ、しかも、演奏操作器ＰＭ及びシステム全体における消費電力を抑えることができる。
【００４５】
〔処理フロー例〕
図３は、この発明の一実施例による電子楽器システムの処理手順例を表わすフローチャートであり、この電子楽器システムの待機状態から処理フローが開始するものとして説明する。待機状態では、演奏操作器ＰＭは省電力モードで動作し、当該待機状態への移行当初に操作器マイコン部ＭＣｐから発信された操作器省電力モード信号Ｓａｐ１，Ｓａｐ２によって、操作器電力供給部（バッテリ回路）３３は、操作器無線通信部２７及びその他の操作器各部ＲＢｐの動作電源をオフしており、演奏操作検出回路２４を含む演奏操作部ＰＤは、演奏操作の検出が可能な程度の低クロックでキースキャンを行っている。ここで、ユーザにより演奏操作子３０が操作されると、演奏操作部ＰＤはこの操作を検出して操作器スリープ解除信号Ｓｂｐを発生し、マイコン部ＭＣｐに送る。
【００４６】
これに対して、操作器マイコン部ＭＣｐは、まず、ステップＰ１で、演奏操作部ＰＤからの操作器スリープ解除信号Ｓｂｐを受けてスリープを解除し動作状態に入る。次に、ステップＰ２にて、演奏操作部ＰＤへの操作器省電力モード信号Ｓａｐ２を無効にする指令を行い、演奏操作部ＰＤを通常モードで動作させて演奏操作のスキャンを高クロックで行わせる。続くステップＰ３において、操作器電力供給部３３への省電力モード信号Ｓａｐ１を無効にする指令を行い、操作器無線通信部２７及びその他の操作器各部ＲＢｐの動作電源をオンしてこれらに電力を供給する。さらに、ステップＰ４では、電子楽器本体ＥＭに対する起動指示信号Ｓｓ１を発生して無線通信部２７に送り、無線通信部２７は、起動指示信号Ｓｓ１を無線通信用の起動指示信号Ｓｓ２に変換して電子楽器本体ＥＭに無線ＷＬで送信し、ステップＰ５の操作器通常処理に進む。
【００４７】
電子楽器本体ＥＭも、待機状態では、省電力モードで動作し、当該待機状態への移行当初に本体マイコン部ＭＣｅから発信された本体省電力モード信号Ｓａｅ１，Ｓａｅ２に従って、電力供給部（電源回路）１５は音源部ＴＧ及びその他の本体各部ＲＢｅの動作電源をオフしており、本体無線通信部９は、演奏操作器ＰＭからの無線信号の検出が可能な程度の低頻度で受信チェックを行っている。ここで、無線通信部９は、演奏操作器ＰＭから無線ＷＬで送られてくる起動指示信号Ｓｓ２を受信すると、この受信を検出したことに応答して本体スリープ解除信号Ｓｂｅを発生し、マイコン部ＭＣｅに送る。
【００４８】
これに対して、本体マイコン部ＭＣｅは、まず、ステップＥ１で、演奏操作器ＰＭから起動指示信号Ｓｓ２を受信したことを示す本体無線通信部９からの本体スリープ解除信号Ｓｂｅを受けてスリープを解除し動作状態に入る。次に、ステップＥ２にて、無線通信部９への本体省電力モード信号Ｓａｅ２を無効にする指令を行い、無線通信部９を通常モードで動作させて受信チェックを高頻度で行わせる。さらに、ステップＥ３において、本体電力供給部１５への省電力モード信号Ｓａｅ１を無効にする指令を行い、音源部ＴＧ及びその他の本体各部ＲＢｅの動作電源をオンしてこれらに電力を供給し、ステップＥ４の本体通常処理に進む。
【００４９】
演奏操作器ＰＭでは、演奏操作部ＰＤは、ステップＰ２にて通常モードで動作するようにセットされるので、演奏操作子３０に対する操作が検出されてからも引き続き行われるユーザの演奏操作に基づく演奏情報Ｓｄ１を確実に取り込むことができる。ステップＰ５の通常処理においては、操作器マイコン部ＭＣｐは、演奏操作部ＰＤで順次取り込まれる演奏情報Ｓｄ１を受信し、これを所定形式の演奏情報Ｓｄ２に変換して操作器無線通信部２７に送り、無線通信部２７は、演奏情報Ｓｄ２を更に無線通信用の演奏情報信号Ｓｄ３に変換して電子楽器本体ＥＭの本体無線通信部９へと送信する。
【００５０】
次のステップＰ６では、操作器マイコン部ＭＣｐは、演奏操作部ＰＤからの演奏情報Ｓｄ１の受信間隔を調べて、一定期間（例えば、５〜１０分）の間、演奏操作部ＰＤで演奏操作子３０の操作を検出していないか否かを判定し、一定期間内に演奏操作を順次検出し演奏操作が持続していると判断される間は（Ｐ６→ＮＯ）、ステップＰ５の通常処理を継続する。なお、通常処理の継続中、ユーザは操作器設定操作子３１を操作して音色や音量などを設定することができ、この操作に基づく設定データ（操作器設定データ）は、マイコン部ＭＣｐ及び操作器無線通信部２７を介して電子楽器本体ＥＭに送信される。
【００５１】
電子楽器本体ＥＭでは、本体無線通信部９は、ステップＥ２にて通常モードで動作するようにセットされるので、起動指示信号Ｓｓ２の受信が検出されてからも引き続き演奏操作器ＰＭから送信されてくる演奏情報信号Ｓｄ３を確実に受信してこれを所定形式の演奏情報Ｓｄ４に復調（復号）し本体マイコン部ＭＣｅに出力することができる。ステップＥ４の本体通常処理においては、本体マイコン部ＭＣｅは、無線通信部９からの演奏情報Ｓｄ４を音源部ＴＧに適した形式の演奏情報Ｓｄ５に変換して音源部ＴＧに出力し、音源部ＴＧは、演奏情報Ｓｄ５に基づく楽音信号を生成し、更にサウンドシステム１４によって対応する楽音を発音する。
【００５２】
次のステップＥ５では、本体マイコン部ＭＣｅは、演奏操作器ＰＭから無線ＷＬで送信されてくる演奏情報信号Ｓｄ３の受信間隔を調べて、一定期間（例えば、５〜１０分）の間、無線信号Ｓｄ３を検出していないか否かを判定し、一定期間内に無線信号Ｓｄ３を順次受信し演奏操作器ＰＭでの演奏操作が持続していると判断される間は（Ｅ５→ＮＯ）、ステップＥ４の本体通常処理を継続する。なお、通常処理の継続中、マイコン部ＭＣｅは、演奏操作器ＰＭから本体無線通信部９を介して操作器設定データを受信した場合、操作器設定情報に基づいて音源部ＴＧに音色や音量などを設定することができる。また、ユーザは本体設定操作子１２を操作することができ、この操作に基づく本体設定データにより、演奏操作器ＰＭからの操作器設定データに比べてより詳細な設定を行うことができる。
【００５３】
さて、演奏操作器ＰＭにおいて、一定期間演奏操作を検出せず演奏操作が終了したと判断されるときには（Ｐ６→ＹＥＳ）、操作器マイコン部ＭＣｐは、順次ステップＰ７〜Ｐ９に進み、待機状態への移行処理を行う。まず、ステップＰ７では、操作器電力供給部３３に省電力モード信号Ｓａｐ１を送り、操作器無線通信部２７及びその他の操作器各部ＲＢｐの動作電源をオフしてこれらへの電力供給を断ち、次のステップＰ８にて、演奏操作部ＲＤに省電力モード信号Ｓａｐ２を送って演奏操作部ＰＤを省電力モードにし、更に、ステップＰ９で、マイコン部ＭＣｐ自体のスリープを実行し、元の待機状態に復帰する。
【００５４】
これに対応して、電子楽器本体ＥＭでは、一定期間無線信号を検出せず演奏操作器ＰＭにおける演奏操作が終了したと判断されるときは（Ｅ５→ＹＥＳ）、本体マイコン部ＭＣｅは、順次、ステップＥ６〜Ｅ８に進み、同様に、待機状態への移行処理を行う。まず、ステップＥ６では、本体電力供給部１５に省電力モード信号Ｓａｅ１を送り、音源部ＴＧ及びその他の本体各部ＲＢｅの動作電源をオフしてこれらへの電力供給を断ち、続くステップＥ７で、本体無線通信部９に省電力モード信号Ｓａｅ２を送って無線通信部９を省電力モードにし、さらに、ステップＥ８においてマイコン部ＭＣｅ自体のスリープを実行し、元の待機状態に復帰する。なお、ステップＥ４の本体通常処理の継続中に入力した最新の設定データは外部記憶装置４に保存して次の本体通常処理に反映させることができる。
【００５５】
〔種々の実施態様〕
以上、図面を参照しつつこの発明の好適な実施の一形態について説明したが、これは単なる一例であって、この発明は、発明の精神を逸脱しない範囲で種々の変更が可能である。例えば、演奏操作器と本体装置間の無線通信については、実施例では演奏操作器から本体装置への単方向通信としたが、双方向通信としてもよい。なお、実施例のように単方向通信を採用した場合、送信側（演奏操作器）では受信側（本体装置）が正しく受信したかを確認することができないため、定期的に送信側の状態を送って確実な情報送信を行うことが望ましい。例えば、送信側は、受信側にノートオンメッセージを送ったら、その後は、当該ノートオンの間、定期的に「現在はノートオン状態である」旨を通知する。
【００５６】
演奏操作部のバッテリには、例えば、乾電池、蓄電池、太陽電池、燃料電池等、及び、これらのハイブリッドなど、種々の独立電源を採用することができる。
【００５７】
実施例では、電源スイッチを設けられないものとして説明したが、電源スイッチを完全にはなくさず、例えば、演奏操作器や本体装置の筐体背面などのユーザが操作しにくい箇所に電源スイッチを設けてもよい。このようにすると、長期間使用しない場合には、電源スイッチをオフにして電力消費を完全になくすことができる。
【図面の簡単な説明】
【００５８】
【図１】この発明の一実施例による電子楽器システムのハードウエア構成例である。
【図２】この発明の一実施例による電子楽器システムの機能ブロック図である。
【図３】この発明の一実施例による電子楽器システムの処理手順例を表わすフローチャートである。
【符号の説明】
【００５９】
ＥＭ  音源部又は楽音信号生成部ＴＧ（７，８）を備える電子楽器本体（装置本体）、
ＰＭ  演奏操作部ＰＤ（２４，３０）を備える演奏操作器、
ＭＣｅ，ＭＣｐ  本体及び操作器マイコン部（マイクロコンピュータ部）、
ＲＢｅ，ＲＢｐ  その他の本体各部及びその他の操作器各部、
Ｓａ；Ｓａｅ１，Ｓａｅ２，Ｓａｐ１，Ｓａｐ２  省電力モード信号、
Ｓｂ；Ｓｂｅ，Ｓｂｐ  スリープ解除信号、
Ｓｓ；Ｓｓ１，Ｓｓ２  起動指示信号、
Ｓｄ；Ｓｄ１〜Ｓｄ５  演奏情報。
【図１】
2007086214.tif 000003
【図２】
2007086214.tif 000004
【図３】
2007086214.tif 000005